(57)【要約】【課題】補助具を用いてネイルリムーバー付きコットンを爪部分に挟んで固定する際には、爪の先と指の側方に、該補助具の一部が膨出するために、指先を揃える、あるいは指先を使用して何らかの作業を行う等の機能を発揮することができない。また、ネイルリムーバーは、除去性向上の目的でアセトンが含有されており、そのアセトンが気化して室内にアセトンに由来する悪臭が充満する。  さらに、荒れた指のケアを行うために、クリーム状物を塗布した場合には、十分な量のクリームを塗布した結果、指先がべとついてケア中に指を使用する他の作業等を行うことが困難であった。【解決手段】指先の爪部分を覆うことができる大きさの伸縮可能な袋状物であって、該袋状物内部の爪に当接する箇所には、液体吸収性部材が固定されてなるネイルケア又は指先ケア用具。【選択図】図５
2011244857.tif 000002
【特許請求の範囲】
【請求項１】
指先の爪部分を覆うことができる大きさの伸縮可能な袋状物であって、該袋状物内部の爪に当接する箇所には、液体吸収性部材が固定されてなるネイルケア又は指先ケア用具。
【請求項２】
該伸縮可能な袋状物が巻き上げられてなり、指先端当接部とその周囲に口巻部を備え、巻き戻した際の内面側に該液体吸収性部材が固定されてなる請求項１記載のネイルケア又は指ケア用具。
【請求項３】
該伸縮可能な袋状物に対して該液体吸収性部材がフィルム状物を介して固定されている請求項１又は２記載のネイルケア又は指先ケア用具。
【請求項４】
装着する爪の名前及び／又は装着位置が表示されてなる請求項１〜３のいずれかに記載のネイルケア又は指ケア用具。
【請求項５】
該伸縮可能な袋状物がゴムからなる請求項１〜４のいずれかに記載のネイルケア又は指ケア用具。
【請求項６】
指毎の爪の大きさに合うように、液体吸収性部材を含む全体の大きさが異なる請求項１〜５のいずれかに記載の複数のネイルケア又は指ケア用具を組み合わせてなるネイルケア又は指ケア用具セット。
【発明の詳細な説明】
【技術分野】
【０００１】
本発明は、ネイルポリッシュの除去、ネイルや指の手入れのためのネイルケア又は指ケア用具及びネイルケア又は指ケア用具セットに関する。
【背景技術】
【０００２】
従来から広く行われてきた爪のカラーリングであるネイルポリッシュとして、近年ジェルネイルが一般化し、さらにソフトジェルでのネイルポリッシュも多く行われるようになってきた。
このソフトジェルは、溶液で落として除去することができるものであり、爪を削ることなく塗布するのみで施術することが可能である。
ソフトジェルは地爪への負担が軽い優しい素材を使用し、さらにネイルポリッシュの持ちは３〜５週間の長期にわたるので、弱い爪を補強すると共に、二枚爪の人や、すぐ爪が割れる人に向いている。さらに塗布時には粘度が高く、紫外線により硬化するので、乾燥時間がかからず、短時間にて施術することが可能である。
また臭いが無く、色が長期間持続し、柔軟性があるために剥がれにくいという好ましい性質を備えている。
【０００３】
例えば、特にソフトジェルを除去する際にはソフトジェルのネイルリムーバーを使用する。その使用方法は、ソフトジェルの表面のみをファイルにてファイリングしてソフトジェル表面に細かい傷を付けて、ネイルリムーバーが染み込みやすい状態とする。
その後に、コットン等にソフトジェルのネイルリムーバーを染みこませたものを爪に当て、その上にアルミホイル等を巻いて、ネイルリムーバーがソフトジェルに浸透するのを１０〜１５分程度待つことで、ソフトジェルが柔軟になり除去できる状態になる。
ソフトジェルはエタノールでは除去することが困難であり、通常はアセトンを含有するネイルリムーバーを使用するのであり、且つ上記のようにソフトジェルを除去する際には、このネイルリムーバーを含有させたコットンを１０分以上にわたってソフトジェル表面に付着させる必要がある。ところが、このときにネイルリムーバー中のアセトンが地爪や爪に近い肌に接触することで、これらの表面が白化したり、荒れたりすることになる。
さらに、たとえ爪にアルミホイル等を巻き付けるとしても、含有されているアセトン等の有機溶剤が揮発してアルミホイルと指の隙間から室内に充満して、悪臭を発生させることになり、これは従来のエタノールによる臭気よりもさらに刺激が強い臭気である。さらに巻いたアルミホイルを固定するための部材を各指に固定する必要があり、ネイルリムーバーをソフトジェル表面に付着させる際には、必要とされる１０〜１５分間の間、各指に付けた固定のための部材が干渉しないよう手の指を拡げ、指先に固定されたアルミホイルを保持させておくことが必要とされる。
【０００４】
また、特許文献１に記載されているように、指先にネイルリムーバーを染みこませたコットンを接触させるために、指先に挟んでコットンを爪表面に固定するネイル除去補助具を使用することが知られている。しかしながらこのようなネイル除去補助具を使用する場合、使用中は指先に保持のためネイル除去補助具が固定されるので自由に指を使用することが不可能となっている。
特許文献２には、除光液が含浸された綿等の一部を挟持固定する密封袋体からなる携帯用マニキュア除光綿が記載されているが、これも特許文献１記載のネイル除去補助具と同様に指先に幅広の袋体を被せるものであるから、被せている時には、各袋が干渉して各指を自由に使用することができなかった。
さらに特許文献３には特許文献２に記載の同様の形状をした袋体が記載され、さらに該袋体内には全周にわたって溶媒吸収体を設置してなる人工爪樹脂軟化装置が、特許文献４には円筒形の筒体の内壁にマニキュアの除去剤を含ませた脱脂綿等の含浸材を内張り状に設けてなるマニキュアの除去具が記載されているが、特許文献３及び４に記載の発明においては、使用時に爪部分のみならず、爪以外の指先の全周の皮膚部分にまで溶媒や含浸剤が接触することになり、その皮膚部分の脂分が抜けたり、白化したりして、皮膚が荒れやすくなる。
また、荒れた爪のケアを行うために爪にオイルやクリームを塗布するが、塗布したオイルやクリームを十分に爪になじませる間、その指を使用する作業を行うことが困難であった。
さらに、荒れた指のケアを行うために、クリーム状物を塗布することが行われており、十分にケアを行うためには十分な量のクリームを塗布する必要があるが、その場合には指先が付着したクリームによりべとついていた。クリームの塗布によらないケアとしては特許文献５に記載されているように、内面に微粒子活性層を形成してなる手袋が知られていた。
【先行技術文献】
【特許文献】
【０００５】
【特許文献１】特開２００９−２７３８７３号公報
【特許文献２】実開昭６０−３０７１１号公報
【特許文献３】特許第４３６３６１４号公報
【特許文献４】実開平６−３８８０８号公報
【特許文献５】特開２００５−３６３２５号公報
【発明の概要】
【発明が解決しようとする課題】
【０００６】
上記のようにソフトジェル等ネイルを除去する目的で、補助具を用いてネイルリムーバー付きコットンを爪部分に挟んで固定する際には、爪の先には該補助具が付着されると共に爪部分の指の側方にも、該補助具の一部が膨出するために、指先を揃える、あるいは指先を使用して何らかの作業を行う等の機能を発揮することができない。
そうすると、ネイルポリッシュを除去する際には指を十分に使用できず、日常生活に支障を来すことがあった。
また、該ネイルリムーバーは、除去性向上の目的でアセトンが含有されており、そのアセトンが気化して室内にアセトンに由来する悪臭が充満する。
また、荒れた指のケアを行うために、クリーム状物を塗布した場合には、十分な量のクリームを塗布した結果、指先がべとついてケア中に指を使用する他の作業等を行うことが困難であった。
【課題を解決するための手段】
【０００７】
本発明は上記課題を解決するものであり、指先の爪部分を覆うことができる大きさのゴム製等の伸縮性の袋状物からなり、該袋状物内部の爪に当接する箇所には、液体吸収性部材が固定されてなるネイルケア又は指ケア用具であって、巻き上げられた結果、指先端当接部とその周囲に口巻部を備え、巻き戻した際の内面側に該液体吸収性部材が固定されても良く、装着する爪の名前、装着位置が表示されていても良いネイルケア又は指ケア用具であり、該袋状物内部の爪に当接する箇所には、該液体吸収性部材がフィルム状物を介して固定されてもよく、指毎の爪の大きさに合うように、液体吸収性部材の大きさが異なるネイルケア又は指ケア用具を組み合わせてなるネイルリムーバーセットである。
【発明の効果】
【０００８】
本発明のネイルケア又は指ケア用具によりネイルポリッシュを除去する場合には、ゴム製の袋状物が指先に密着することによって、ネイルリムーバーが含浸されたネイルケア又は指ケア用具の液体吸収性部材が、爪表面に設けられたネイルポリッシュ部分に的確にむらなく接触し、かつ爪以外の部分に接触する面積が小さくなる。このため、本発明は以下の効果を奏することができる。
爪表面のネイルポリッシュは確実に柔軟になり除去されると共に、ネイルリムーバーに接する爪以外の皮膚表面の面積が小さくなるので、該指先から脂分が抜け白化することを極力防止できる。
さらに、ネイルポリッシュ除去中にネイルリムーバーが外気と触れることがないので、室内にネイルリムーバーが気化・拡散することもなく、アセトン等による有機溶剤特有の悪臭が拡散することも防止することが可能となる。
加えて、ネイルポリッシュ除去中の指先は伸縮性を有する例えば薄いゴム製の袋状物が密着した状態であるので、指先に嵩高い部材が付着せず、指を自由に動かすことや物を把持する等の作業を自由に行うことが可能になる。
【図面の簡単な説明】
【０００９】
【図１】本発明のネイルケア用具の正面図。
【図２】本発明のネイルケア用具の背面図。
【図３】本発明のネイルケア用具の側面図。
【図４】本発明のネイルケア用具を指先に装着し始めるときの図。
【図５】本発明のネイルケア用具を指先に装着する途中の図。
【図６】本発明のネイルケア用具を指先に装着した後の図。
【図７】本発明のネイルケア用具であって、アルミホイルを有するものの正面図。
【図８】本発明のネイルケア用具であって、アルミホイルを有するものの背面図。
【図９】本発明のネイルケア用具であって、アルミホイルを有するものを指先に装着した後の図。
【発明を実施するための形態】
【００１０】
本発明のネイルケア又は指ケア用具は、指サック状のゴム製等の伸縮性を有する袋状物の内面の一部であって、指に装着して爪に当たる部分にコットン等の液体吸収性部材を固定してなるから、例えば該袋状物を巻き上げてなる状態にて、指先に該袋状物の中心である指先端当接部を当て、指の根元に向けて巻き戻すことにより簡単に指に装着できるものである。そして、上記コットン等の液体吸収性部材と袋状物の内面の一部とを直接接着などすることにより一体化させても良いし、アルミホイル、ＰＥＴやポリエチレン等のフィルム状物を介して一体化させても良い。
このネイルケア用具を使用するネイルケアは、マニキュアやソフトジェルを除去するためのネイルリムーバーや、キューティクルオイル等の保湿液を爪に適用するケアであり、指ケア用具を使用する指ケアは、各種の原因による爪を含む指の荒れ等を解消するためにオイルやクリーム等の指ケア用の処理剤を、指表面に塗布するケアである。
【００１１】
通常は手の指の爪の大きさは、親指が最も大きく、小指が最も小さく、人差し指、中指、薬指がほぼ同じ大きさであること、かつ、本発明のネイルケア用具を使用する際には、液体吸収性部材が爪の全面に密着でき、且つ、爪以外の皮膚部分にはなるべく触れないことが望ましいことを考慮すると、本発明のネイルケア用具の液体吸収性部材の大きさは指による爪の大きさを可能な限り反映した大きさとすることが望ましい。このため、本発明のネイルケア用具を両手の指の数分をセットにして揃えるときには、例えば、親指用を２つ、小指用を２つ、人差し指、中指、薬指用を６つ、合わせて１つのセットとすること等も可能である。
但し、ネイルだけでなく指ケア用として用いる際には、指による大きさの違いをネイルケアほどに考慮する必要はない。
本発明のネイルケア又は指ケア用具を指ケアに使用する場合には、液体吸収性部材の大きさは、爪だけでなく各指全体を巻くことができる程度の大きさであり、袋状物の長さは指を十分にカバーできる程度の長さとすることが必要である。
【００１２】
本発明をネイルケア用具の例を挙げて、以下に図面を基に説明する。
図１は、指先の爪部分を覆うことができる大きさの伸縮性を有する袋状物が巻き上げられて口巻部３が形成されてなり、その指先端当接部４に液体吸収性部材２が固定されてなるネイルケア用具１である。
該伸縮性を有する袋状物としては、いわゆる指サックに使用されているゴム等の材料により形成されたもので良く、天然ゴムを採用することができるが、天然ゴムにアレルギーを有する人に向けてはウレタンゴム、イソプレンゴム、ポリブタジエンゴム、アクリロニトリル−ブタジエンゴム、スチレン−ブタジエンゴム、シリコーンゴム等の各種合成ゴムを使用することも可能である。
このような袋状物を使用することにより、指先を覆う場合にはゴム等の伸縮性を有する部材に備わっている弾性及び収縮力によって、ゴム製袋状物内面を指先に密着させることが可能になる。
さらに、ゴム等の伸縮性の材料による袋状物としては、アセトン等の液体状物を透過させない性質や該液体状物により軟化・溶解する等の変質することがない性質を備えることが必要である。
【００１３】
本発明におけるネイルケア用具に使用する該伸縮性を有する袋状物の形状は、いわゆる指サックと同様の形状で良い。さらに本発明のネイルケア用具は、必ずしも指の根元までを覆う必要はなく、爪部分を覆うことができればよいので、指サックを短くした形状、例えば第一関節、又は第二関節までを覆う長さのものでも良い。
図１〜３において、液体吸収性部材２は巻き上げられたネイルケア用具１の指先端当接部４に固定されているが、その液体吸収性部材２は多少大きめに図示されている。必要なことは、ネイルケア用具１が指に装着されたときに、液体吸収性部材２が的確に爪の全面に密着するが、爪以外の指の部分には極力密着しない程度の大きさとすることである。人によって爪の大きさが異なることや、ネイルケア用具で指の爪部分を覆う時に、爪に対して液体吸収性部材２が多少ずれることを考慮してもなお、図１〜３に示す液体吸収性部材２はもう少し小さくすることができる。
液体吸収性部材２の材質としては、従来から化粧拭き取り用、ネイルポリッシュ除去用等に使用されているコットン、フェルト等の繊維製膜厚シート等やスポンジシート等の多孔性部材を選択・使用できる。
また、口巻部３はネイルケア用具１を巻き上げることにより形成された巻回部であり、ほぼドーナツ状を呈しており、その中には使用時において指の先に当接する指先端当接部４が存在する。
口巻部３に関しても、従来の指サックと同様に、ネイルケア用具１の端部を形成する厚肉部としてもよく、またネイルケア用具の他の箇所と同様の厚さであっても良いが、ネイルケア用具を指先に被せた状態において、揮発したネイルリムーバーが室内に拡散しないように、指に気密に密着させることが必要である。
【００１４】
また、図７に示すように、図１に示すネイルケア用具において、口巻部３と液体吸収性部材２との間に、アルミホイルやＰＥＴやポリエチレン等の樹脂フィルム等のフィルム状物５を介在させることもできる。図７は口巻部側からネイルケア用具を正面からみた図であるから、液体吸収性部材２は直接見えないが、図８のように背面側からみると、フィルム状物５に液体吸収性部材２が固定されている。このように、該フィルム状物５は液体吸収性部材２よりも十分に大きいものである。なお、図７〜９において該フィルム状物面の線はシワを示したものである。
このフィルム状物５を液体吸収性部材２及び口巻部３に介在させる手段は限定されないが、例えば、フィルム状物５を液体吸収性部材２及び口巻部３に接着する方法、フィルム状物５と液体吸収性部材２を接着し、これに口巻部を接するようにしたのみの方法によっても良い。
【００１５】
このとき、フィルム状物５により、使用時において液体吸収性部材２に吸収されたアセトンやクリーム等の液体状物と、伸縮性を有する袋状物とが直接接触しないようにすることができる。そうすると該伸縮性を有する袋状物が、該アセトンやクリーム等の液体状物によって変質することを防止できる。
また、液体吸収性部材２に吸収されたアセトンやクリーム等の液体状物を含浸させる際には、例えば手のひらの上に液体吸収性部材２が最も上になるようにネイルケア用具を置き、該液体吸収性部材２に該アセトンやクリーム等の液体状物を含浸させると、該アセトンやクリーム等の液体状物は拡がってもフィルム状物５の上に留まる。このため、手のひら又は指先等の皮膚面に該アセトンやクリーム等の液体状物が付着して、不用意に汚れることや刺激を受けることがない。
【００１６】
次に、本発明のネイルケア用具１を使用する態様をソフトジェルの除去を例に挙げて述べる。
図４は、予めアセトン含有等のネイルリムーバーをネイルケア用具１の液体吸収性部材２に吸収・担持させたあと、図示はしないが、ネイルケア用具１を適用する手とは違う手によりネイルケア用具１を保持し、他方の手の指先に本発明のネイルケア用具１の指先端当接部４を当接した状態である。
このとき、液体吸収性部材２はネイルケア用具１を巻き戻した際に、爪の表面を覆うような位置とすることが必要である。当然のことながら、全く位置が違って、液体吸収性部材２が爪に接触しなければ、爪表面のソフトジェル等を十分に除去することができない。
さらに、口巻部３は指先の周囲に存在させるようにすることが必要である。
【００１７】
次に図５に示すように、ネイルケア用具１の口巻部３を少しずつ巻き戻して、指の根元に向けてネイルケア用具１を被せるようにする。その際には液体吸収性部材２が爪表面の全面に密着するようにすることが必要である。
【００１８】
そのままネイルケア用具１の口巻部を巻き戻すことにより、図６に示すように爪を覆うようにしてネイルケア用具１が指先を被覆する。このネイルケア用具１は上記のようにゴム等の伸縮性を有する材料からなるので、適度な収縮力により指先全体を圧縮し、爪の表面に対しては液体吸収性部材２を押しつけるようにする機能を発揮する。
こうして、ネイルケア用具１で指先を被覆した状態のまま、短いもので数分、長いものでは１０分から１５分の間、爪表面のソフトジェル等を溶解したり、柔軟にしたりする。
【００１９】
このときに爪以外の皮膚に対しては最小限のネイルリムーバーしか触れないので、ネイルリムーバーによって過剰に皮膚部分の脂分を失ったり、白化したりする等の皮膚の荒れを引き起こすことがない。
この間、指先には巻き戻したネイルケア用具１が装着されるに過ぎないので、指先の動きを規制するような部材が設けられているものではない。そこで、同時に各指に対して同様のプロセスによりネイルケア用具１を装着することができ、各指のネイルポリッシュ除去を同時進行で行うことが可能となるし、その場合においても、指により何らかの物品を把持したりするような仕事をすることもできる。
また、アセトン等を含有するネイルリムーバーは指先端に装着されたネイルケア用具１内に留まると共に、ネイルケア用具１の口巻部３は指との間で密着するので、内部のネイルリムーバーは外気に触れることがない。その結果、室内にアセトン等による有機溶剤の臭気が充満することがなく、室内環境が良好なままであるから気分が悪くなることもない。
【００２０】
所定の時間が経過して、爪表面のソフトジェル等が十分に柔軟になった後には、指に装着させた動きとは逆にして、口巻部３を巻戻しながら指先からネイルケア用具１を取り外して廃棄する。そして爪表面に残っているソフトジェル等を脱脂綿等により拭いて剥がして除去することにより一連の処置が終了する。
【００２１】
さらに、図９に示すように、フィルム状物５を用いた本発明のネイルケア用具の場合には、指先端当接部４から巻き戻された口巻部３にかけて、さらにその外にまでフィルム状物５は共に指先を被覆する。このような構造のネイルケア用具の場合、使用後に指から取り外す際には、口巻部３を持っても良いし、さらにフィルム状物５を持って取り外す手段を採用するほうがより簡易である。
【００２２】
上記の例はソフトジェルの除去を行う際の例であるが、この例に限らず、ネイルケア用オイルやクリームによる爪のケアに使用することができ、さらに指のケアのために指のケア用オイルやクリームを使用して、爪を含む指を対象にケアを行うことも可能である。その際には、液体吸収性部材２は各図に示すような爪を覆う程度の大きさに留まらず、指を覆うことが可能となる程度の大きさとすることが必要である。そしてそのような場合にフィルム状物５を使用する際には、そのフィルム状物５も液体吸収性部材２よりも大きくする必要がある。
【符号の説明】
【００２３】
１・・・ネイルケア用具
２・・・液体吸収性部材
３・・・口巻部
４・・・指先端当接部
５・・・フィルム状物
【図１】
2011244857.tif 000003
【図２】
2011244857.tif 000004
【図３】
2011244857.tif 000005
【図４】
2011244857.tif 000006
【図５】
2011244857.tif 000007
【図６】
2011244857.tif 000008
【図７】
2011244857.tif 000009
【図８】
2011244857.tif 000010
【図９】
2011244857.tif 000011